(57)【要約】【課題】情報信号を高速で再生することができる高記録密度の光記録媒体およびその再生装置、再生方法を提供する。【解決手段】５つの凹状のピット１１Ａ〜１１Ｅ上において反射された光ビームＡ１〜Ｅ１およびＡ２〜Ｅ２それぞれが波面の位相差にしたがって、フォトディテクタ３１Ａ〜３１Ｅ面上で干渉することにより、フォトディテクタ３１Ａ〜３１Ｅ上に複数のピット１１Ａ〜１１Ｅのそれぞれの深さに応じた光強度の分布が形成される。このフォトディテクタ３１Ａ〜３１Ｅ上の位相情報としての光強度の分布を読み取ることによって光記録媒体１上に記録された情報信号を再生することができる。【選択図】　　　　図２
2004070991.tif 000002
【特許請求の範囲】
【請求項１】
ピットが形成された基板と、このピットの上に形成された反射膜とを有し、この反射膜の表面である信号記録面に光ビームが集光されることにより情報信号が再生される光記録媒体であって、
前記信号記録面に集光される光ビームの焦点深度内に表面が位置するように前記信号記録面上に形成された光透過膜を有することを特徴とする光記録媒体。
【請求項２】
前記信号記録面を光ビームの第一の反射面とし、前記光透過膜の表面を光ビームの第二の反射面として、
前記第一の反射面からの光ビームの反射光と、前記第二の反射面からの光ビームの反射光とを干渉させて位相情報が光強度として検出されることにより情報信号が再生されることを特徴とする請求項１記載の光記録媒体。
【請求項３】
前記基板に形成されたグルーブおよび／またはランドの幅方向に複数の前記ピットが形成されていることを特徴とする請求項１記載の光記録媒体。
【請求項４】
前記情報信号は、複数の前記ピットの深さの変調によって記録されていることを特徴とする請求項１記載の光記録媒体。
【請求項５】
前記光透過膜の表面が平坦であることを特徴とする請求項１記載の光記録媒体。
【請求項６】
前記光透過膜を第一の光透過膜として、この第一の光透過膜上に形成され、この第一の光透過膜とは屈折率が異なる第二の光透過膜を有することを特徴とする請求項１記載の光記録媒体。
【請求項７】
前記信号記録面を光ビームの第一の反射面とし、前記第一の光透過膜の前記第二の光透過膜側の面を光ビームの第二の反射面として、
前記第一の反射面からの光ビームの反射光と、前記第二の反射面からの光ビームの反射光とを干渉させて位相情報が光強度として検出されることにより情報信号が再生されることを特徴とする請求項６記載の光記録媒体。
【請求項８】
前記基板に形成されたグルーブおよび／またはランドの幅方向に複数の前記ピットが形成されていることを特徴とする請求項６記載の光記録媒体。
【請求項９】
前記情報信号は、複数の前記ピットの深さの変調によって記録されていることを特徴とする請求項６記載の光記録媒体。
【請求項１０】
前記第一の光透過膜の前記第二の光透過膜側の面が平坦であることを特徴とする請求項６記載の光記録媒体。
【請求項１１】
前記光透過膜上に形成された部分反射膜を有することを特徴とする請求項１記載の光記録媒体。
【請求項１２】
前記部分反射膜は、アルミニウム、チタン、タンタル、金、シリコン、クロムおよびこれらを含んだ合金よりなる群から選ばれた材料によって形成されたことを特徴とする請求項１１記載の光記録媒体。
【請求項１３】
ピットが形成された基板と、このピットの上に形成された光透過膜と、この光透過膜の上に形成された反射膜とを有し、前記光透過膜の前記基板側の面である信号記録面に光ビームが集光されることにより情報信号が再生される光記録媒体であって、
前記反射膜は、前記信号記録面に集光される光ビームの焦点深度内に前記光透過膜側の面が位置するように形成されたことを特徴とする光記録媒体。
【請求項１４】
前記信号記録面を光ビームの第一の反射面とし、前記反射膜の前記光透過膜側の面を光ビームの第二の反射面として、
前記第一の反射面からの光ビームの反射光と、前記第二の反射面からの光ビームの反射光とを干渉させて位相情報が光強度として検出されることにより情報信号が再生されることを特徴とする請求項１３記載の光記録媒体。
【請求項１５】
前記基板に形成されたグルーブおよび／またはランドの幅方向に複数の前記ピットが形成されていることを特徴とする請求項１３記載の光記録媒体。
【請求項１６】
前記情報信号は、複数の前記ピットの深さの変調によって記録されていることを特徴とする請求項１３記載の光記録媒体。
【請求項１７】
前記反射膜の前記光透過膜側の面が平坦であることを特徴とする請求項１３記載の光記録媒体。
【請求項１８】
光ビームを出射するレーザ光源と、前記光ビームを光記録媒体の信号記録面に集光させる対物レンズと、前記光記録媒体で反射された光ビームの光強度を検出する光検出手段とを有し、この光検出手段からの出力信号によって情報信号の再生を行う光記録媒体の再生装置であって、
前記光記録媒体は、ピットが形成された基板と、このピットの上に形成され、表面が前記信号記録面である反射膜と、前記信号記録面に集光される光ビームの焦点深度内に表面が位置するように前記信号記録面上に形成された光透過膜とを有し、前記信号記録面を光ビームの第一の反射面とし、前記光透過膜の表面を光ビームの第二の反射面とするものであり、
前記光検出手段は、前記第一の反射面からの光ビームの反射光と、前記第二の反射面からの光ビームの反射光とを干渉させて位相情報を光強度として検出することを特徴とする光記録媒体の再生装置。
【請求項１９】
光ビームを出射するレーザ光源と、前記光ビームを光記録媒体の信号記録面に集光させる対物レンズと、前記光記録媒体で反射された光ビームの光強度を検出する光検出手段とを有し、この光検出手段からの出力信号によって情報信号の再生を行う光記録媒体の再生装置であって、
前記光記録媒体は、グルーブおよび／またはランドの幅方向に複数のピットが形成された基板と、前記複数のピットの上に形成され、表面が前記信号記録面である反射膜と、前記信号記録面に集光される光ビームの焦点深度内に表面が位置するように前記信号記録面上に形成された光透過膜とを有し、前記信号記録面を光ビームの第一の反射面とし、前記光透過膜の表面を光ビームの第二の反射面とし、前記情報信号が前記複数のピットの深さの変調によって記録されているものであり、
前記光検出手段は、前記グルーブおよび／またはランドの幅方向に形成された複数のそれぞれのピット上における前記第一の反射面からの光ビームの反射光と前記第二の反射面からの光ビームの反射光とを干渉させて位相情報を光強度として検出するための複数のフォトディテクタであることを特徴とする光記録媒体の再生装置。
【請求項２０】
前記光記録媒体は、前記光透過膜を第一の光透過膜として、この第一の光透過膜上に形成され、この第一の光透過膜とは屈折率が異なる第二の光透過膜を有し、前記第一の光透過膜の前記第二の光透過膜側の面を光ビームの第二の反射面とすることを特徴とする請求項１９記載の光記録媒体の再生装置。
【請求項２１】
ピットが形成された基板と、このピットの上に形成され、表面が信号記録面である反射膜と、前記信号記録面に集光される光ビームの焦点深度内に表面が位置するように前記信号記録面上に形成された光透過膜とを有し、前記信号記録面を光ビームの第一の反射面とし、前記光透過膜の表面を光ビームの第二の反射面とする光記録媒体について情報信号を再生する光記録媒体の再生方法であって、
前記第一の反射面からの光ビームの反射光と、前記第二の反射面からの光ビームの反射光とを干渉させて位相情報を光強度として検出することにより情報信号を再生することを特徴とする光記録媒体の再生方法。
【請求項２２】
前記光記録媒体は、前記光透過膜を第一の光透過膜として、この第一の光透過膜上に形成され、この第一の光透過膜とは屈折率が異なる第二の光透過膜を有し、前記第一の光透過膜の前記第二の光透過膜側の面を光ビームの第二の反射面とすることを特徴とする請求項２１記載の光記録媒体の再生方法。
【発明の詳細な説明】
【０００１】
【発明の属する技術分野】
本発明は、光ビームを用いて情報信号が再生される光記録媒体およびその再生装置、再生方法に関する。
【０００２】
【従来の技術】
光記録媒体には、再生専用のＲＯＭディスク（ＣＤ−ＲＯＭ、ＤＶＤ−ＲＯＭ等）や、ＲＯＭ領域と記録可能領域を有する書換可能ディスク等がある。
【０００３】
このようにＲＯＭ領域を有する光記録媒体を、情報再生装置である光ディスクシステムにより再生するには、レーザ光源からの光ビームを光記録媒体の信号記録面に集光させる。光ビームは信号記録面のピットがないところではほとんどそのまま反射される。その一方、信号記録面のピットのあるところでは光ビームがピットにより回折されて、入射した光ビームの一部がフォトディテクタに戻ってくる。
【０００４】
このようにして、戻ってくる光の強度がピットにより変調されることを用いて光記録媒体について情報信号の再生が行われる。
【０００５】
【発明が解決しようとする課題】
しかしながら、上述した従来の光記録媒体の再生方法では、光記録媒体の信号記録面上に光ビームを集光したビームスポットにより、光記録媒体上のピットを一つずつ時間軸にそって再生していたので、データの転送レートを大きくすることが難しいという問題があった。
【０００６】
また、上述した従来の光記録媒体の再生では、光ビームのビームスポットの径と同程度の大きさのピットについて再生をしていたので、光記録媒体の記録密度はビームスポットのサイズにより制限されてしまうという問題があった。
【０００７】
本発明はかかる問題点に鑑みてなされたもので、その目的は、情報信号を高速で再生することができる高記録密度の光記録媒体およびその再生装置、再生方法を提供することにある。
【０００８】
【課題を解決するための手段】
本発明による光記録媒体は、ピットが形成された基板と、このピットの上に形成された反射膜とを有し、この反射膜の表面である信号記録面に光ビームが集光されることにより情報信号が再生される光記録媒体であって、信号記録面に集光される光ビームの焦点深度内に表面が位置するように信号記録面上に形成された光透過膜を有している。
【０００９】
本発明による光記録媒体では、光透過膜の表面が信号記録面に集光される光ビームの焦点深度内に位置するように形成されているので、信号記録面で反射された光ビームの反射光の波面と、光透過膜の表面で反射された光ビームの反射光の平面状の波面の位相差を検出することにより信号記録面に記録された情報信号を再生することができる。
【００１０】
また、本発明による他の記録媒体は、ピットが形成された基板と、このピットの上に形成された光透過膜と、この光透過膜の上に形成された反射膜とを有し、光透過膜の基板側の面である信号記録面に光ビームが集光されることにより情報信号が再生される光記録媒体であって、反射膜は、信号記録面に集光される光ビームの焦点深度内に光透過膜側の面が位置するように形成されている。
【００１１】
本発明による他の光記録媒体では、反射膜の光透過膜側の面が信号記録面に集光される光ビームの焦点深度内に位置するように形成されているので、信号記録面で反射された光ビームの反射光の波面と、反射膜の光透過膜側の面で反射された光ビームの反射光の平面状の波面の位相差を検出することにより信号記録面に記録された情報信号を再生することができる。
【００１２】
本発明による光記録媒体の再生装置は、光ビームを出射するレーザ光源と、光ビームを光記録媒体の信号記録面に集光させる対物レンズと、光記録媒体で反射された光ビームの光強度を検出する光検出手段とを有し、この光検出手段からの出力信号によって情報信号の再生を行う光記録媒体の再生装置であって、光記録媒体は、ピットが形成された基板と、このピットの上に形成され、表面が信号記録面である反射膜と、信号記録面に集光される光ビームの焦点深度内に表面が位置するように信号記録面上に形成された光透過膜とを有し、信号記録面を光ビームの第一の反射面とし、光透過膜の表面を光ビームの第二の反射面とするものであり、光検出手段は、第一の反射面からの光ビームの反射光と、第二の反射面からの光ビームの反射光とを干渉させて位相情報を光強度として検出するものである。
【００１３】
本発明による光記録媒体の再生装置では、光透過膜の表面が信号記録面に集光される光ビームの焦点深度内に位置するように形成された光記録媒体について再生を行う。光検出手段により、光記録媒体の第一の反射面である信号記録面で反射された光ビームの反射光と、第二の反射面である光透過膜の表面で反射された光ビームの反射光とを干渉させて、位相情報を光強度として検出することによって、信号記録面に記録された情報信号を再生することができる。
【００１４】
また、本発明による光記録媒体の再生装置は、光ビームを出射するレーザ光源と、光ビームを光記録媒体の信号記録面に集光させる対物レンズと、光記録媒体で反射された光ビームの光強度を検出する光検出手段とを有し、この光検出手段からの出力信号によって情報信号の再生を行う光記録媒体の再生装置であって、
光記録媒体は、グルーブおよび／またはランドの幅方向に複数のピットが形成された基板と、複数のピットの上に形成され、表面が信号記録面である反射膜と、信号記録面に集光される光ビームの焦点深度内に表面が位置するように信号記録面上に形成された光透過膜とを有し、信号記録面を光ビームの第一の反射面とし、光透過膜の表面を光ビームの第二の反射面とし、情報信号が複数のピットの深さの変調によって記録されているものであり、光検出手段は、グルーブおよび／またはランドの幅方向に形成された複数のそれぞれのピット上における第一の反射面からの光ビームの反射光と第二の反射面からの光ビームの反射光とを干渉させて位相情報を光強度として検出するための複数のフォトディテクタである。
【００１５】
本発明による光記録媒体の再生装置では、光透過膜の表面が信号記録面に集光される光ビームの焦点深度内に位置するように形成され、情報信号が深さの変調によってそれぞれ記録されている複数のピットが形成された光記録媒体について再生する。光検出手段により、それぞれのピット上において、光記録媒体の第一の反射面である信号記録面で反射された光ビームの反射光と、第二の反射面である光透過膜の表面で反射された光ビームの反射光とを干渉させて、位相情報を光強度として検出することによって、信号記録面に記録された情報信号を再生することができる。
【００１６】
本発明による光記録媒体の再生方法は、ピットが形成された基板と、このピットの上に形成され、表面が信号記録面である反射膜と、信号記録面に集光される光ビームの焦点深度内に表面が位置するように信号記録面上に形成された光透過膜とを有し、信号記録面を光ビームの第一の反射面とし、光透過膜の表面を光ビームの第二の反射面とする光記録媒体について情報信号を再生する光記録媒体の再生方法であって、第一の反射面からの光ビームの反射光と、第二の反射面からの光ビームの反射光とを干渉させて位相情報を光強度として検出することにより情報信号を再生する。
【００１７】
本発明による光記録媒体の再生方法では、光透過膜の表面が信号記録面に集光される光ビームの焦点深度内に位置するように形成された光記録媒体について再生を行う。光記録媒体の第一の反射面である信号記録面で反射された光ビームの反射光と、第二の反射面である光透過膜の表面で反射された光ビームの反射光とを干渉させて、位相情報を光強度として検出することによって、信号記録面に記録された情報信号を再生する。
【００１８】
【発明の実施の形態】
以下、本発明の実施の形態について図面を参照して詳細に説明する。図１（Ａ）および（Ｂ）は本実施の形態である光記録媒体の概略構成を表すものである。この光記録媒体は、例えば半導体レーザ等のレーザ光源から出射された光ビームを反射する主な面を二面有している。
【００１９】
図１（Ａ）に示す光記録媒体１は、ピット１１が形成された基板１２と、このピット１１上に形成された例えばアルミニウム等からなる反射膜１３と、この反射膜１３上に形成された第一の光透過膜１４と、この第一の光透過膜１４上に形成された第二の光透過膜１５とを備えている。
【００２０】
ピット１１は、例えば凹状の複数のピットが例えばランドの横方向（幅方向）に沿って形成されており、ランドの延長方向に沿って線順次に記録されている。それぞれのピット１１の窪み深さは、複数の段階の深さになるように形成されており、例えば深さが０の場合を含み５段階の深さとなっている。
【００２１】
第一の光透過膜１４と第二の光透過膜１５は、互いに屈折率が異なる材料でそれぞれ形成されている。第一の光透過膜１４は、例えば、酸化ニオブ、酸化タンタル、酸化チタン、酸化シリコン、アルミナ（酸化アルミニウム）、窒化アルミニウム、窒化シリコン、窒化ガリウム、硫化亜鉛、硫化錫、セレン化錫等の材料により形成されている。また、第二の光透過膜１５は、例えば、紫外線硬化樹脂、ポリカーボネイト、ＰＭＭＡ（ポリメチルメタクリレート）等の材料により形成されている。
【００２２】
なお、第一の光透過膜１４と第二の光透過膜１５とは、互いに屈折率が異なる材料であればよいので、上述した第一の光透過膜１４と第二の光透過膜１５との材料をそれぞれ入れ替えることは可能であるし、上述した第一の光透過膜１４の材料の中から第二の光透過膜１５の材料を選択してもよいし、また、上述した第二の光透過膜１５の材料の中から第一の光透過膜１４の材料を選択してもよい。
【００２３】
この光記録媒体１は、光ビームを反射する主な面である第一の反射面１０Ａと第二の反射面１０Ｂの２面を有している。第一の反射面１０Ａは、情報信号の信号記録面である反射膜１３の第一の光透過膜１４側の表面である。また、第二の反射面１０Ｂは、第一の光透過膜１４の第二の光透過膜１５側の面であり、第一の光透過膜１４と第二の光透過膜１５との境界により形成されている。ここで、第二の反射面１０Ｂである第一の光透過膜１４の第二の光透過膜１５側の面は、第一の反射面１０Ａである情報信号記録面に集光される光ビームの焦点深度内に位置している。なお、第二の反射面１０Ｂである第一の光透過膜１４の第二の光透過膜１５側の面は平滑になるように形成されている。
【００２４】
第一の反射面１０Ａからの光ビームの反射光量と第二の反射面１０Ｂからの光ビームの反射光量の比率は、反射膜１３や、第一の光透過膜１４および第二の光透過膜１５それぞれの材料等を選択して屈折率を選択することによって調整することができる。
【００２５】
また、図１（Ｂ）に示す光記録媒体２は、ピット２１が形成された基板２２と、このピット２１上に形成された例えばアルミニウム等からなる反射膜２３と、この反射膜２３上に形成された光透過膜２４の一層のみを備えている。
【００２６】
この光透過膜２４は、空気（ｎ＝１）とは屈折率が異なる材料により形成される。この光透過膜２４の一層のみを用いる場合にも、第一の反射面２０Ａと第二の反射面２０Ｂとを形成することができる。
【００２７】
第一の反射面２０Ａは、情報信号の記録面である反射膜２３の表面である。また、第二の反射面２０Ｂは、光透過膜２４の表面により形成されている。ここで、第二の反射面２０Ｂである光透過膜２４の表面は、第一の反射面２０Ａである情報信号記録面に集光される光ビームの焦点深度内に位置している。
【００２８】
本実施の形態では、第二の反射面１０Ｂ，２０Ｂは、第一の反射面１０Ａ，２０Ａに集光された光ビームの焦点深度内に形成されている。これによって、例えば、もし、第一の反射面１０Ａ，２０Ａと第二の反射面１０Ｂ，２０Ｂが共に平面であると仮定した場合には、第一の反射面１０Ａ，２０Ａからの光ビームの波面と、第二の反射面１０Ｂ，２０Ｂからの光ビームの反射光の波面は、ほぼそろった波面となる。したがって、凹状の複数のピット１１，２１が基板１２，２２上に形成されている場合には、凹凸状の第一の反射面１０Ａ，２０Ａからの記録データを含んだ光ビームの反射光と、平面である第二の反射面１０Ｂ，２０Ｂからの光ビームの反射光の位相関係を調べることにより、第一の反射面１０Ａ，２０Ａに記録された情報信号を再生することが可能となる。
【００２９】
より具体的に本実施の形態の光記録媒体について情報信号を再生する原理について図２を用いて説明する。図１（Ａ）に示した二層の光透過膜を有する光記録媒体の再生原理について説明するが、図１（Ｂ）に示した一層の光透過膜のみを有する光記録媒体の再生原理についても同様である。
【００３０】
光記録媒体１の第一の反射面１０Ａにより反射された光ビームＡ１〜Ｅ１は、第一の反射面１０Ａ下に凹状のピット１１として記録されたピット形状に対応して、その波面が形成される。凹状のピット１１Ａ〜１１Ｅは、窪み深さが５段階に変調され記録されているので、このような窪み深さに応じて、第一の反射面１０Ａにより反射された光ビームＡ１〜Ｅ１の波面が形成されている。
【００３１】
一方、第二の反射面１０Ｂは、平滑に形成されているので、反射された光ビームＡ２〜Ｅ２の波面はほぼ平面である。
【００３２】
このように反射された光ビームＡ１〜Ｅ１の波面１の形状、および、反射された光ビームＡ２〜Ｅ２の波面２の形状は、集光レンズを介して、５つに分割されたフォトディテクタ３１Ａ〜３１Ｅ上にそれぞれ集光されることによって再現される。なお、フォトディテクタ３１Ａ〜３１Ｅは、５つの凹状のピット１１Ａ〜１１Ｅに対応して分割配置されている。
【００３３】
よって、５つの凹状のピット１１Ａ〜１１Ｅ上において反射された光ビームＡ１〜Ｅ１およびＡ２〜Ｅ２それぞれが波面の位相差にしたがって、フォトディテクタ３１Ａ〜３１Ｅ面上で干渉することにより、フォトディテクタ３１Ａ〜３１Ｅ上に複数のピット１１Ａ〜１１Ｅのそれぞれの深さに応じた光強度の分布が形成される。したがって、このフォトディテクタ３１Ａ〜３１Ｅ上の位相情報としての光強度の分布を読み取ることによって光記録媒体１上に記録された情報信号を再生することができる。
【００３４】
なお、上述したように、第二の反射面１０Ｂを平滑に形成することにより、反射される光ビームＡ２〜Ｅ２の波面をより平面化するようにしたので、５つの凹状のピット１１Ａ〜１１Ｅ上において反射された光ビームＡ１〜Ｅ１およびＡ２〜Ｅ２それぞれの波面の位相差をより正確に検出できるようになる。
【００３５】
図３および図４は、本実施の形態の光記録媒体に記録された情報信号を再生する情報再生装置の概略構成を表したものである。この情報再生装置３は、レーザ光源である半導体レーザ３２と、コリメートレンズ３３と、ビームスプリッタ３４と、対物レンズ３５と、集光レンズ３６と、５つに分割されたディテクタ３１Ａ〜３１Ｅとを有している。
【００３６】
この情報再生装置３により光記録媒体に記録された情報信号を再生するには、まず、レーザ光源である例えば半導体レーザ３２から再生用の光ビームを出射させる。この光ビームは、コリメートレンズ３３によって平行光になり、例えば偏光ビームスプリッタ（ＰＢＳ）からなるビームスプリッタ３４を透過する。ビームスプリッタ３４を透過した光ビームは、図示しない１／４波長板を透過して、対物レンズ３５に入射される。
【００３７】
対物レンズ３５に入射された光ビームは、光記録媒体１の信号記録面である第一の反射面１０Ａ上に集光される。この際に、光ビームは第一の反射面１０Ａで反射されるとともに、第二の反射面１０Ｂでも反射される。第一の反射面１０Ａにより反射された光ビームは、第二の反射面１０Ｂで反射された光ビームとともに、対物レンズ３５および図示しない１／４波長板を透過して、ビームスプリッタ３４で反射される。
【００３８】
ビームスプリッタ３４で反射された光ビームは、集光レンズ３６によってフォトディテクタ３１Ａ〜３１Ｅ面上にそれぞれ集光される。フォトディテクタ３１Ａ〜３１Ｅ面上では、第一の反射面１０Ａで反射された光ビームと第二の反射面１０Ｂで反射された光ビームとがそれぞれ干渉する。そして、フォトディテクタ３１Ａ〜３１Ｅのそれぞれにおいて、反射された光ビームの位相情報が光強度として検出され、光強度に応じて独立に電気信号に変換され出力される。この電気信号が図示しない信号再生処理部に入力され、この信号再生処理部によって情報信号の再生の処理が行われる。
【００３９】
この光記録媒体１の信号記録面には、例えばランドの横方向（幅方向）に沿って凹状のピットが５個形成されており、５個並んだデータがランドの延長方向に沿って線順次に記録されている。すなわち、多値記録が可能となっている。このため、ランドの延長方向に沿って光ビームをスキャンすると、５個のデータを一組として線順次にデータを５個ずつ同時に再生することができる。
【００４０】
従来の光記録媒体では、情報信号がランドに線順次にシリーズに記録されていたが、これは従来の再生方法では、集光されたビームスポットで一度に一つのピットしか読めず、ビットバイビットで記録されていたからである。一方、本発明では光ビームのビームスポット内の位相情報から情報信号を再生しているため、一つの光ビームにより複数個のデータを同時に再生することができる。
【００４１】
このように本実施の形態では、レーザ光源から出射された一つの光ビームにより、複数個のデータを同時に再生できるようにしたので、光記録媒体の情報信号を高速に再生することができる。
【００４２】
また、本実施の形態では、例えばランドの横方向に複数のピットが形成された光記録媒体を再生することができ、集光したビームスポットの径以下の大きさのピットを再生することができるようにしたので、高記録密度の光記録媒体を再生することができる。
【００４３】
さらに、本実施の形態では、従来では大きい開口率の対物レンズでなければ情報信号を再生することができなかった光記録媒体について、開口率を小さくした対物レンズで再生することもできるので、安価で高信頼性の情報再生装置および情報再生方法を実現できる。
【００４４】
以上、実施の形態を挙げて本発明を説明したが、本発明は上記の形態に限定されるものではなく、種々変形可能である。例えば、上記実施の形態では、光記録媒体のランドの幅方向にピットを５個形成する例について説明したが、５個に限定する必要なはく、５個以上でも以下でもかまわない。また、ピットをビットバイビットで記録したとしても、一つのピットに多値を記録することも可能である。また、ピットの窪み深さについても、５段階の深さに限らず、５段階以上でも以下でもかまわない。また、ランドの幅方向に限らず、グルーブの幅方向や、ランドとグルーブの両方の幅方向にピットを形成してもよい。
【００４５】
さらに、上記実施の形態で説明した光記録媒体の構成以外も可能であり、図５は本発明の他の光記録媒体の構成例を表したものである。この光記録媒体４は、ピット４１が形成された基板４２上に、光透過膜４４、反射膜４３および保護膜４６が順次積層されている。この光記録媒体４では、基板４２が光透過膜の役割を担っている。なお、レーザ光源からの光ビームは基板４２側から入射する。
【００４６】
第一の反射面４０Ａは、情報信号の信号記録面であり、光透過膜４４の基板４２側の面である。また、第二の反射面４０Ｂは、反射膜４３の光透過膜４４側の面である。
【００４７】
第二の反射面４０Ｂである反射膜４３の光透過膜４４側の面は、第一の反射面４０Ａに集光される光ビームの焦点深度内に位置している。これにより、凹凸状の第一の反射面４０Ａからの記録データを含んだ光ビームの反射光と、平面である第二の反射面４０Ｂからの光ビームの反射光の位相関係を調べることにより、第一の反射面４０Ａに記録された情報信号を再生することができる。
【００４８】
また、本発明においては、上記実施の形態における第二の光透過膜１５を、光ビームが一部反射される部分反射膜により形成してもよい。このように部分反射膜を用いた場合には、第一の光透過膜１４と第二の光透過膜１５との屈折率差は必要なくなる。この部分反射膜は、例えば、アルミニウム、チタン、タンタル、金、シリコン、クロム等またはこれらを含む合金等の材料により形成されている。また、この部分反射膜は、例えば、上述した材料を用いて極薄い金属膜により形成してもよい。このように上述した材料を用いて極薄い金属膜として部分反射膜を形成することにより、より効果的な部分反射を実現することができる。
【００４９】
さらに、上記実施の形態における第二の光透過膜１５の表面に無反射コートを施すようにしてもよい。
【００５０】
【発明の効果】
以上説明したように、本発明の光記録媒体によれば、反射された光ビームの位相情報により情報信号を再生するようにしたので、記録密度が向上し、高速で情報信号を再生することが可能となる。
【００５１】
また、本発明の光記録媒体の再生装置および再生方法によれば、反射された光ビームの位相情報により光記録媒体の情報信号を再生するようにしたので、高記録密度の光記録媒体の情報信号を高速で再生することができる。
【図面の簡単な説明】
【図１】本発明の実施の形態である光記録媒体の概略構成を表す構成図である。
【図２】本発明の実施の形態である光記録媒体の情報信号の再生の原理を説明するための説明図である。
【図３】本発明の実施の形態である光記録媒体の再生装置の概略構成を表す構成図である。
【図４】本発明の実施の形態である光記録媒体の再生装置の概略構成を表す構成図である。
【図５】本発明の光記録媒体の他の例の概略構成を表す断面図である。
【符号の説明】
１，２，４…光記録媒体、３…情報再生装置、１１，２１，４１…ピット、１２，２２，４２…基板、１３，２３，４３…反射膜、１４…第一の光透過膜、１５…第二の光透過膜、２４，４４…光透過膜、１０Ａ，２０Ａ，４０Ａ…第一の反射面、１０Ｂ，２０Ｂ，４０Ｂ…第二の反射面、３１Ａ〜３１Ｅ…フォトディテクタ、３２…半導体レーザ、３５…対物レンズ
【図１】
2004070991.tif 000003
【図２】
2004070991.tif 000004
【図３】
2004070991.tif 000005
【図４】
2004070991.tif 000006
【図５】
2004070991.tif 000007